Podtech/llm-jp-corpus-v4-ja_patent huggingface dataset:
【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
式Ｒ３ＯＯＣ−（ＣＨ２）ｑ−ＣＨ２ＮＨ２
（式中、Ｒ３はＨまたはｎ−ブチル基であり、およびｑは２と１３の間の整数の添数である。）
のω−アミノ酸（エステル）を、
式（Ｒ１−ＣＨ＝ＣＨ−（ＣＨ２）ｐ−ＣＯＯ）ｘＲ２
（式中、ｘは１、２または３を表し、Ｒ１は、Ｈであるか、または４個から１１個の炭素原子を含み、ヒドロキシル官能基を含み得る、炭化水素基であり、Ｒ２は、Ｈであるか、または２個から４個の炭素原子を含むアルキル基であり、および１つ以上のヘテロ原子を含有し得、ならびにｐは２と１１の間の整数の添数である。）
の一不飽和脂肪酸（エステル）から合成するための方法であって、
カルボニル官能基をニトリル官能基に変換するアンモニア処理反応ステップを含み、
−第１段階において、不飽和脂肪酸／エステルを、任意の順序のエテノリシスおよびアンモニア処理の連続２ステップで、式ＣＨ２＝ＣＨ−（ＣＨ２）ｐ−ＣＮのω−不飽和ニトリルに変換し、次いで
−第２段階において、前記ω−不飽和ニトリルを、式（Ｉ）
【化１】
2014524938.tif 000001
の触媒を用いて、前記ω−不飽和ニトリルと式ＣＨ２＝ＣＨ−ＣＯＯＲ３のアクリレートとのクロスメタセシス反応によって、式Ｒ３ＯＯＣ−ＣＨ＝ＣＨ−（ＣＨ２）ｐ−ＣＮ（式中、Ｒ３はｎ−ブチルである。）のエステルニトリルに変換し、
および次いで、
−第３段階において、前記エステルニトリルを水素化し、式ＲＯＯＣ−（ＣＨ２）ｑ−ＣＨ２ＮＨ２のω−アミノ酸（エステル）とする
ことを特徴とする、方法。
【請求項２】
第１段階において、酸（エステル）のエテノリシスを最初に行い、続いてω−アルケン酸のアンモニア処理を行うことを特徴とする、請求項１に記載の方法。
【請求項３】
第１段階において、酸（エステル）のアンモニア処理を最初に行い、続いて出発脂肪酸のニトリルのエテノリシスを行うことを特徴とする、請求項１に記載の方法。
【請求項４】
第１段階において、ヒドロキシル含有脂肪酸（エステル）の熱分解を最初に行い、続いて熱分解から得られたω−アルケン酸（エステル）のアンモニア処理を行うことを特徴とする、請求項１に記載の方法。
【請求項５】
第１段階において、酸（エステル）のアンモニア処理を行い、エテノリシス反応は続いて行わないことを特徴とする、請求項１に記載の方法。
【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
式ＩＩ：
【化１】
2014524936.tif 000001

（式中、Ｒは
【化２】
2014524936.tif 000002

である）
の化合物、またはその医薬的に許容され得る塩、エステルもしくはプロドラッグ。
【請求項２】
式Ｉ：
【化３】
2014524936.tif 000003

（式中、Ｒはアルキル及びアリールからなる群から選択される）
の化合物、またはその医薬的に許容され得る塩、エステルもしくはプロドラッグ。
【請求項３】
Ｒはメチル及びフェニルからなる群から選択される請求項２に記載の化合物。
【請求項４】
式ＩＩＩ：
【化４】
2014524936.tif 000004
（式中、Ｒは
【化５】
2014524936.tif 000005
からなる群から選択され、ここでＲ１はアルキル、アリール及びヘテロアリールからなる群から選択されるか、またはＲ１はカルボニルとアミノ酸を構成する）
の化合物、またはその医薬的に許容され得る塩、エステルもしくはプロドラッグ。
【請求項５】
Ｒ１はメチル及びフェニルからなる群から選択される請求項４に記載の化合物。
【請求項６】
式ＩＶ：
【化６】
2014524936.tif 000006
（式中、Ｒは
【化７】
2014524936.tif 000007
からなる群から選択される）
の化合物、またはその医薬的に許容され得る塩、エステルもしくはプロドラッグ。
【請求項７】
式Ｖ、式ＶＩまたは式ＶＩＩ：
【化８】
2014524936.tif 000008
の化合物、またはその医薬的に許容され得る塩、エステルもしくはプロドラッグ。
【請求項８】
少なくとも１つの請求項１〜７に記載の化合物及び医薬的に許容され得る担体を含む医薬組成物。
【請求項９】
統合失調症、薬物渇望、薬物嗜癖、双極性障害、不安、鬱病、パーキンソン病、アルツハイマー病、認知障害、多発性硬化症、筋萎縮性側索硬化症（ＡＬＳ）、虚血性発作、ＨＩＶ認知症及びハンチントン病からなる群から選択される中枢神経系（ＣＮＳ）の疾患または病気の治療のための、請求項８に記載の医薬組成物。
【請求項１０】
Ｎ−アセチルシステイン（ＮＡＣ）を更に含む請求項９に記載の医薬組成物。
【請求項１１】
前記した中枢神経系の疾患または病気は統合失調症である請求項９に記載の医薬組成物。
【請求項１２】
ａ）クロルプロマジン、チオリダジン、メソリダジン、ロクサピン、モリンドン、ペルフェナジン、チオチキセン、トリフルオペラジン、ハロペリドール、フルフェナジン、ドロペリドール、ズクロペンチキソール及びプロクロルペラジンペルフェナジンからなる群から選択される第１世代抗精神病薬
及び／または
ｂ）アミスルピリド、アリピプラゾール、アセナピン、ブロナンセリン、クロチアピン、クロザピン、イロペリドン、ルラシドン、モサプラミン、オランザピン、パリペリドン、ペロスピロン、クエチアピン、レモキシプリド、リスペリドン、セルチンドール、スルピリド、ジプラシドン、ゾテピン、ビフェプルノックス（ＤＵ−１２７，０９０）、ピマバンセリン（ＡＣＰ−１０３）及びバビカセリン（ＳＣＡ−３６）からなる群から選択される第２世代抗精神病薬
を更に含む請求項９に記載の医薬組成物。
【手続補正書】
【提出日】平成27年7月10日(2015.7.10)
【手続補正１】
【補正対象書類名】特許請求の範囲
【補正対象項目名】全文
【補正方法】変更
【補正の内容】
【特許請求の範囲】
【請求項１】
γ-KAの形成の抑制を含む、次の式：
【化１】
2014524918.tif 000001
（式中、
Rは、NまたはC-R5であり；
R2は、独立して、H、ヒドロキシ、ハロゲン、ニトロ、CF3、C1-6アルキル、C1-6アルコキシ、C3-10シクロアルキル、一以上のR3およびR4で任意に置換された、C、O、SまたはNを含む3〜8員環であり、R3またはR5と一緒に環化して、C、O、SまたはNを含む、任意に置換された3〜8員環を形成してもよく；
R3は、H、ヒドロキシ、ハロゲン、ニトロ、CF3、C1-6アルキル、C1-6アルコキシ、C3-10シクロアルキル、一以上のR4およびR2で任意に置換された、C、O、SまたはNを含む3〜8員環であり、一以上のR2またはR5と一緒に環化して、C、O、SまたはNを含む、任意に置換された3〜8員環を形成してもよく；
R4は、H、ヒドロキシ、ハロゲン、ニトロ、CF3、C1-6アルキル、C1-6アルコキシ、C3-10シクロアルキル、一以上のR2およびR3で任意に置換された、C、O、SまたはNを含む3〜8員環であり、一以上のR2、R3またはR5と一緒に環化して、C、O、SまたはNを含む、任意に置換された3〜8員環を形成してもよく；
R5は、H、ヒドロキシ、ハロゲン、ニトロ、CF3、C1-6アルキル、C1-6アルコキシ、C3-10シクロアルキル、一以上のR4、R2およびR3で任意に置換された、C、O、SまたはNを含む3〜8員環であり、一以上のR2、R3またはR4と一緒に環化して、C、O、SまたはNを含む、任意に置換された3〜8員環を形成してもよい）
のγ-KA捕捉化合物またはその立体異性体を含む、炎症性の自己免疫応答を治療、予防または改善するための医薬組成物。
【請求項２】
RがNまたはC-R5であり；
R2が独立して、HまたはC1-6アルキルであり；
R3がH、ハロゲン、C1-6アルコキシ、ヒドロキシまたはニトロであり；
R4がHまたはC1-6アルキルであり；
R5がH、ヒドロキシ、ハロゲン、ニトロ、CF3、C1-6アルキル、C1-6アルコキシ、C3-10シクロアルキル、一以上のR4、R2およびR3で任意に置換された、C、O、SまたはNを含む3〜8員環であり、一以上のR2、R3またはR4と一緒に環化して、C、O、SまたはNを含む、任意に置換された3〜8員環を形成してもよい
請求項1に記載の医薬組成物。
【請求項３】
RがNまたはC-R5であり；
R2が独立して、HまたはC1-6アルキルであり；
R3がH、ハロゲン、C1-6アルコキシ、ヒドロキシまたはニトロであり；
R4がHまたはC1-6アルキルであり；
R5がH、ヒドロキシ、ハロゲン、ニトロ、CF3、C1-6アルキル、C1-6アルコキシ、C3-10シクロアルキル、一以上のR4、R2およびR3で任意に置換された、C、O、SまたはNを含む3〜8員環であり、一以上のR2、R3またはR4と一緒に環化して、C、O、SまたはNを含む、任意に置換された3〜8員環を形成してもよい、
但し、RがNであり、R4がHであるとき、R2は-CH2-OHではない
請求項2に記載の医薬組成物。
【請求項４】
前記化合物が、次の式：
【化２−１】
2014524918.tif 000002
【化２−２】
2014524918.tif 000003
の1つを有する、請求項1〜3のいずれか1つに記載の医薬組成物。
【請求項５】
前記炎症性の自己免疫応答が、クローン病、炎症性腸疾患、および潰瘍性大腸炎、喘息、移植片対宿主病、慢性閉塞性肺疾患；グレーブス病、関節リウマチ、全身性エリテマトーデス、乾癬を含む自己免疫疾患、あるいは
関節リウマチ、変形性関節炎；強直性脊椎炎、乾癬性関節炎、ライター症候群を含む炎症性関節症、急性痛風、月経困難症（生理痛）、転移性骨痛、頭痛および片頭痛、術後疼痛、炎症および組織傷害による軽度から中等度の疼痛、発熱（熱）、腸閉塞または腎疝痛に関連する、請求項1〜4のいずれか1つに記載の医薬組成物。
【請求項６】
前記組成物が、(a) 炎症、疼痛または発熱を軽減するため；(b) 胃腸障害を治療するため；(c) 創傷治癒を促進するため；(d) 胃腸、腎臓および／または呼吸器毒性を治療または止めるため；(e) 炎症性疾患を治療するため；(f) 高血圧を下げるため、および／または(g) 眼科疾患を治療するためのものである、請求項1〜4のいずれか1つに記載の医薬組成物。
【請求項７】
前記胃腸障害が、炎症性腸疾患、クローン病、胃炎、過敏性腸症候群、便秘、潰瘍性大腸炎；消化性潰瘍、ストレス潰瘍、出血性潰瘍を含む潰瘍、胃酸過多症、消化不良、胃不全麻痺、ゾリンジャー・エリソン症候群、胃食道逆流症、細菌感染、短腸(吻合)症候群、または全身性肥満細胞症もしくは好塩基球性白血病に関連する過分泌状態および過ヒスタミン血症である、請求項6に記載の医薬組成物。
【請求項８】
前記炎症性疾患が、心血管疾患、虚血臓器への再灌流傷害、血管形成、関節炎、喘息、気管支炎、早産、腱炎、滑液包炎、自己免疫疾患、免疫不全、皮膚関連疾患、新生組織形成、疾患における炎症過程、肺炎症、中枢神経系障害、アレルギー性鼻炎、呼吸窮迫症候群、エンドトキシンショック症候群、微生物感染、細菌誘発炎症、ウイルス誘発炎症、尿障害、泌尿器系障害、内皮機能不全、臓器変質、組織変質、性機能障害または賦活、炎症部位での好中球の接着および浸潤である、請求項7に記載の医薬組成物。
【請求項９】
炎症、乾癬および／または高血圧の少なくとも1つを治療するための、請求項1に記載の医薬組成物。
【請求項１０】
炎症、乾癬および／または高血圧の少なくとも1つを治療するための、請求項2に記載の医薬組成物。
【請求項１１】
前記化合物が、次の式：
【化３−１】
2014524918.tif 000004
【化３−２】
2014524918.tif 000005
の1つを有する、請求項9または10に記載の医薬組成物。
【手続補正書】
【提出日】平成27年4月9日(2015.4.9)
【手続補正１】
【補正対象書類名】特許請求の範囲
【補正対象項目名】全文
【補正方法】変更
【補正の内容】
【特許請求の範囲】
【請求項１】
加齢黄斑変性を有しないヒト対象の視覚パフォーマンスを改善するための経口消費用の栄養補助食品又は食品添加物として使用するための、メソ−ゼアキサンチン（ＭＺ）、ルテイン及びゼアキサンチンを含有する組成物であって、
前記視覚パフォーマンスは、コントラスト感度、最高補正視力、及びグレア障害のうちの１つ又は複数である、組成物。
【請求項２】
単位剤形にある、請求項１に記載の組成物。
【請求項３】
各用量が少なくとも０．１ｍｇのＭＺを含む、請求項２に記載の組成物。
【請求項４】
各用量が少なくとも１００ｍｇのＭＺを含む、請求項２に記載の組成物。
【請求項５】
更に１種又は複数種のビタミン及び／又はミネラルを含有する、請求項１〜４のいずれか一項に記載の組成物。
【請求項６】
ＭＺとルテインとゼアキサンチンとの比が、約１０：１０：２である、請求項１に記載の組成物。
【請求項７】
更に野菜油及び／若しくは魚油、並びに／又はω３脂肪酸を含有する、請求項１〜６のいずれか一項に記載の組成物。
【請求項８】
更に以下の任意の１つ又は複数：ｐＨ調整剤；固化防止剤；抗酸化剤；着色料；色保持剤；乳化剤；香料；風味増強剤；保存剤；安定剤；甘味剤；増粘剤を含有する、請求項１〜７のいずれか一項に記載の組成物。
【請求項９】
ＭＺを含む餌を給飼された雌鳥から得られた卵の形態にある、請求項１に記載の組成物。
【請求項１０】
前記組成物が、３Ｃｄｍ−２を超える照明レベルを有する明所視条件内でのヒト対象の前記視覚パフォーマンスを改善するためである、請求項１〜９のいずれか一項に記載の組成物。
【請求項１１】
前記組成物が、正常レベルの黄斑色素を有するヒト対象の前記視覚パフォーマンスを改善するためである、請求項１〜１０のいずれか一項に記載の組成物。
【請求項１２】
前記ヒト対象が、非定型「中心凹み」黄斑色素分布を有する、請求項１〜１０のいずれか一項に記載の組成物。
【請求項１３】
ヒト消費用の組成物の製造方法であって、前記組成物が、視覚パフォーマンスを改善する目的のためにヒト対象によって消費され、前記方法が、有効量のＭＺを許容可能な食物希釈剤、賦形剤又は担体と混合するステップを含む、方法。
【請求項１４】
更に前記組成物を、好ましくは単位剤形で、十分な用量、頻度及び継続期間での前記組成物の消費のための指示書と共にパッケージ内に包装して、視覚パフォーマンスの改善を達成するステップを含む、請求項１３に記載の方法。
【手続補正書】
【提出日】平成27年3月12日(2015.3.12)
【手続補正１】
【補正対象書類名】特許請求の範囲
【補正対象項目名】全文
【補正方法】変更
【補正の内容】
【特許請求の範囲】
【請求項１】
下記式：
【化１】
2014524921.tif 000001
のいずれかの化合物またはその薬学的に許容可能な塩。
【請求項２】
下記式：
【化２】
2014524921.tif 000002
のいずれかの化合物またはその薬学的に許容可能な塩。
【請求項３】
下記式：
【化３】
2014524921.tif 000003
の化合物またはその薬学的に許容可能な塩。
【請求項４】
請求項１〜３のいずれかに記載の化合物のＮ−メチル−（Ｄ）−グルカミン塩。
【請求項５】
下記式：
【化４】
2014524921.tif 000004
の化合物のＮ−メチル−（Ｄ）−グルカミン塩。
【請求項６】
有効量の請求項１〜５のいずれか１項に記載の化合物またはその薬学的に許容可能な塩と薬学的に許容可能な担体とを含む医薬組成物。
【請求項７】
請求項１〜５のいずれか１項に記載の化合物またはその薬学的に許容可能な塩を含む炎症性腸疾患の予防又は治療用医薬。
【請求項８】
請求項１〜５のいずれか１項に記載の化合物またはその薬学的に許容可能な塩を含む潰瘍性大腸炎の予防又は治療用医薬。
【請求項９】
請求項１〜５のいずれか１項に記載の化合物またはその薬学的に許容可能な塩を含むクローン病の予防又は治療用医薬。
【手続補正２】
【補正対象書類名】明細書
【補正対象項目名】０１１０
【補正方法】変更
【補正の内容】
【０１１０】
【表３】
2014524921.tif 000005
【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
プラスグレル及びその医薬的に許容し得る塩を調製するにあたり、次の工程：
ａ）次の式（Ｖ）で表される化合物
2014524929.tif 000001
を、極性プロトン性溶媒の存在下、液体臭素を用いて臭素化して、次の式（ＩＶ）で表される化合物を得、
2014524929.tif 000002
ｂ）式（ＩＶ）で表される化合物を、極性非プロトン性溶媒中の塩基の存在下、次の式で表される化合物（ＩＩＩ）
2014524929.tif 000003
を用いて、縮合して、次の式（ＩＩ）で表される化合物を得、
2014524929.tif 000004
ｃ）式（ＩＩ）で表される化合物を、非プロトン性溶媒、アセチル化剤及び触媒の存在下でアセチル化して、次の式（Ｉ）で表されるプラスグレル塩基及びその医薬的に許容し得る塩を得、
2014524929.tif 000005
ｄ）式（Ｉ）で表されるプラスグレル塩基を、極性非プロトン性溶媒の存在下、マレイン酸で、次の式（Ｉｂ）
2014524929.tif 000006
で表されるプラスグレルマレイン酸塩に転化し、プラスグレルマレイン酸を精製し、プラスグレル塩基を得るか、若しくは次いでプラスグレル塩基を他の医薬的に許容し得る塩に転化するか、
又は、
ｅ）式（Ｉ）で表されるプラスグレル塩基を、プラスグレルの医薬的に許容し得る塩に転化する
工程を含むことを特徴とする、プラスグレル及びその医薬的に許容し得る塩の調製方法。
【請求項２】
請求項１記載の方法において、工程ａ）の反応温度範囲は、１５〜４０℃であることを特徴とする、方法。
【請求項３】
請求項１又は２記載の方法において、工程ａ）の極性プロトン性溶媒は、アルコール、アルコキシレーテッドアルコール、アリールオキシレーテッドアルコール及びポリオールから成る群より選ばれることを特徴とする、方法。
【請求項４】
請求項１〜３いずれかの項記載の方法において、工程ａ）の極性プロトン性溶媒は、アルコールであることを特徴とする、方法。
【請求項５】
請求項１〜４いずれかの項記載の方法において、工程ａ）における、式（Ｖ）の化合物に対する液体臭素のモル比は１〜２であることを特徴とする、方法。
【請求項６】
請求項１〜５いずれかの項記載の方法において、工程ａ）における、式（Ｖ）の化合物に対する液体臭素のモル比は１．１〜１．５であることを特徴とする、方法。
【請求項７】
請求項１〜６いずれかの項記載の方法において、工程ｂ）の塩基は、金属水酸化物、金属炭酸塩及びアンモニア誘導体から成る群より選ばれることを特徴
とする、方法。
【請求項８】
請求項１〜７いずれかの項記載の方法において、工程ｂ）の塩基は、炭酸ナトリウム又はメタノール性アンモニアであることを特徴とする、方法。
【請求項９】
請求項１〜８いずれかの項記載の方法において、工程ｂ）の反応は、−１０℃〜７５℃の温度範囲で実施し、塩基がアンモニア誘導体の場合には該反応は−５℃〜０℃の温度範囲で実施し、塩基が金属炭酸塩の場合には該反応は１５℃〜３０℃の温度範囲で実施することを特徴とする、方法。
【請求項１０】
請求項１〜９いずれかの項記載の方法において、工程ｂ）の反応は、６≦ｐＨ≦８で実施することを特徴とする、方法。
【請求項１１】
請求項１〜１０いずれかの項記載の方法において、工程ｃ）の触媒は、ＰＴＳＡ、メタンスルホン酸、トリエチルアミン、ベンゼンスルホン酸及び硫酸から成る群より選ばれることを特徴とする、方法。
【請求項１２】
請求項１〜１１いずれかの項記載の方法において、工程ｃ）の触媒は、ＰＴＳＡ又はトリエチルアミンであることを特徴とする、方法。
【請求項１３】
請求項１〜１２いずれかの項記載の方法において、プラスグレルの医薬的に許容し得る塩は、所望する塩の共役酸が極性溶媒中に溶解している溶液を添加することにより、プラスグレル塩基を、プラスグレルＨＸの所望する医薬的に許容し得る塩に転化することにより調製することを特徴とする、方法。
2014524929.tif 000007
【請求項１４】
請求項１３記載の方法において、上記共役酸は、マレイン酸、シュウ酸、クエン酸及び酒石酸からなる群より選ばれる有機酸並びにスルホン酸の誘導体の共役酸から成る群より選ばれることを特徴とする、方法。
【請求項１５】
請求項１４記載の方法において、上記共役酸はハロゲン化水素酸であることを特徴とする、方法。
【請求項１６】
請求項１３〜１５いずれかの項記載の方法において、非プロトン性溶媒はアセトンであることを特徴とする、方法。
【請求項１７】
請求項１〜１６いずれかの項記載の方法において、プラスグレルマレイン酸塩（Ｉｂ）は、塩基及び非プロトン性極性溶媒を添加することによりプラスグレル塩基に転化されることを特徴とする、方法。
【請求項１８】
請求項１７記載の方法において、極性溶媒はアセトンであることを特徴とする、方法。
【請求項１９】
請求項１〜１８いずれかの項記載の方法において、プラスグレルマレイン酸塩を純度９９．５％以上で得ることを特徴とする、方法。
【請求項２０】
次の式（ＩＶ）で表される化合物を調製するにあたり、
2014524929.tif 000008
ａ）次の式（Ｖ）
2014524929.tif 000009
で表される化合物を極性プロトン性溶媒の存在下、液体臭素で臭素化して、式（ＩＶ）の化合物を得る
ことを含む、式（ＩＶ）の化合物の調製方法。
【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
誘電体膜を堆積させる方法であって、
誘電体材料の第１の層を基板上に堆積させることと、
前記誘電体材料の第１の層を前記堆積させることの後に、前記基板の上にプラズマを誘起および維持して、前記誘電体材料の第１の層へのイオン衝撃を行うことと、
誘電体材料の所定の厚さが堆積されるまで、前記堆積させることと、前記誘起および維持することとのステップを繰り返すことと
を含む、方法。
【請求項２】
前記誘電体材料がＬｉＰＯＮである、請求項１に記載の方法。
【請求項３】
前記誘電体材料の第１の層が２００ｎｍ厚未満である、請求項２に記載の方法。
【請求項４】
前記堆積させることが、プロセスチャンバ内で真空堆積させることである、請求項１に記載の方法。
【請求項５】
前記誘起および維持することのステップの前に前記プロセスチャンバ内のプロセスガスを変更することをさらに含む、請求項４に記載の方法。
【請求項６】
前記真空堆積させることが、アルゴン雰囲気中でＬｉ３ＰＯ４をスパッタリングすることを含む、請求項４に記載の方法。
【請求項７】
前記誘起することのステップの前に窒素ガスを前記プロセスチャンバに導入することをさらに含む、請求項６に記載の方法。
【請求項８】
前記誘電体材料の第１の層が２００ｎｍ厚未満である、請求項６に記載の方法。
【請求項９】
前記真空堆積させることが、前記誘電体材料をスパッタリングすることを含み、前記スパッタリングすることが、第１の周波数のＲＦ電力と第２の周波数のＲＦ電力とをスパッタターゲットに同時に印加することを含む、請求項４に記載の方法。
【請求項１０】
前記真空堆積させることが、バイアスを前記基板に印加することを含む、請求項９に記載の方法。
【請求項１１】
前記真空堆積させることが、窒素およびアルゴン雰囲気中でＬｉ３ＰＯ４をスパッタリングすることを含む、請求項４に記載の方法。
【請求項１２】
前記基板が、前記誘起および維持することのステップの間加熱される、請求項１に記載の方法。
【請求項１３】
誘電体膜を堆積させる方法であって、
誘電体材料の第１の層をプロセスチャンバ内で基板上に真空堆積させることと、
前記誘電体材料の第１の層を前記真空堆積させることの後に、前記基板の上にプラズマを誘起および維持して、前記誘電体材料の第１の層へのイオン衝撃を行うことと、
誘電体材料の第２の層を前記イオン衝撃された誘電体材料の第１の層上に真空堆積させることと、
前記誘電体材料の第２の層を前記真空堆積させることの後に、前記基板の上にプラズマを誘起および維持して、前記誘電体材料の第２の層へのイオン衝撃を行うことと
を含み、
前記誘電体材料の第２の層が前記誘電体材料の第１の層よりも厚い、方法。
【請求項１４】
前記誘電体材料の第２の層が、前記誘電体材料の第１の層よりも迅速に堆積される、請求項１３に記載の方法。
【請求項１５】
前記誘電体材料の第１の層および前記誘電体材料の第２の層が、同じスパッタターゲットを使用して真空堆積される、請求項１３に記載の方法。
【請求項１６】
前記誘電体材料がＬｉＰＯＮである、請求項１３に記載の方法。
【請求項１７】
誘電体膜を堆積させる方法であって、
誘電体材料の第１の層をプロセスチャンバ内で基板上に真空堆積させることと、
前記誘電体材料の第１の層を前記真空堆積させることの後に、前記基板の上にプラズマを誘起および維持して、前記誘電体材料の第１の層へのイオン衝撃を行うことと、
誘電体材料の第２の層を前記イオン衝撃された誘電体材料の第１の層上に真空堆積させることと、
誘電体材料の第３の層を前記誘電体材料の第２の層上に前記プロセスチャンバ内で真空堆積させることと、
前記誘電体材料の第３の層を前記真空堆積させることの後に、前記基板の上にプラズマを誘起および維持して、前記誘電体材料の第３の層へのイオン衝撃を行うことと
を含み、
前記誘電体材料の第２の層が、前記誘電体材料の第１の層および前記誘電体材料の第３の層よりも厚い、方法。
【請求項１８】
前記誘電体材料の第１の層、前記誘電体材料の第２の層、および前記誘電体材料の第３の層が、同じスパッタターゲットを使用して真空堆積される、請求項１７に記載の方法。
【請求項１９】
前記誘電体材料がＬｉＰＯＮである、請求項１７に記載の方法。
【請求項２０】
前記誘電体材料の第２の層が、前記誘電体材料の第１の層および前記誘電体材料の第３の層よりも迅速に堆積される、請求項１７に記載の方法。
【請求項２１】
誘電体膜を堆積させる方法であって、
誘電体材料の層を基板上に堆積させることであって、前記堆積させることがアルゴン雰囲気中でＬｉ３ＰＯ４をスパッタリングすることである、堆積させることと、
前記誘電体材料の層を前記堆積させることの後に、前記基板の上に窒素プラズマを誘起および維持して、前記誘電体材料の層へのイオン衝撃を行うことと、
を含み、
前記基板が電気化学デバイスの電極を含む、方法。
【手続補正書】
【提出日】平成27年7月3日(2015.7.3)
【手続補正１】
【補正対象書類名】特許請求の範囲
【補正対象項目名】請求項１
【補正方法】変更
【補正の内容】
【請求項１】
気相析出を介した分子付着、相互作用又は共有結合を通じてパリレン・フィルム上に抗菌剤を固定するステップを含む、抗菌性パリレン・コーティングを形成する方法。
【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
下記式で表される化合物。
【化１】
2014524909.tif 000001
【請求項２】
請求項１に記載の化合物を含むものである発光デバイス。
【請求項３】
該化合物が発光層におけるホストである、請求項２に記載の発光デバイス。
【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
配列番号：37のアミノ酸配列を含むペプチド。
【請求項２】
配列番号：13のアミノ酸配列を含むペプチド。
【請求項３】
配列番号：14のアミノ酸配列を含むペプチド。
【請求項４】
配列番号：47のアミノ酸配列を含むペプチド。
【請求項５】
配列番号：35のアミノ酸配列を含むペプチド。
【請求項６】
配列番号：13−16、19−25、27−29及び31−33から成る群から選択されるアミノ酸配列を含むペプチド。
【請求項７】
配列番号：26及び30から成る群から選択されるアミノ酸配列を含むペプチド。
【請求項８】
配列番号：35−37から成る群から選択されるアミノ酸配列を含むペプチド。
【請求項９】
配列番号：38−49及び54から成る群から選択されるアミノ酸配列を含むペプチドであって、当該アナローグが、ヒトGLP-1レセプターに対してGIPレセプターに対するよりも少なくとも100倍の選択性を示し、さらに場合によって少なくとも1％のGLP-1潜在能力を示す、前記ペプチド。
【請求項１０】
配列番号：50−52及び55から成る群から選択されるアミノ酸配列を含むペプチドであって、当該アナローグが、ヒトGLP-1レセプターに対してGIPレセプターに対するよりも少なくとも100倍の選択性を示し、さらに場合によって少なくとも1％のGLP-1潜在能力を示す、前記ペプチド。
【請求項１１】
請求項1〜10のいずれかに記載のペプチドのアミノ酸配列と少なくとも85％、90％又は95％同一であるアミノ酸配列を含む変種ペプチドであって、当該変種ペプチドが、本来のグルカゴンと比較してGLP-1レセプターで増強した活性を示し、さらにヒトGLP-1レセプターに対してGIPレセプターに対するよりも少なくとも100倍の選択性を示す、前記変種ペプチド。
【請求項１２】
請求項1〜11のいずれかに記載のペプチドのアミノ酸配列をベースとするアミノ酸配列を含むが、以下の態様の1つ以上で相違する変種ペプチド：
a．変種ペプチドはアシル化アミノ酸又はアルキル化アミノ酸を含む；
b．アシル化アミノ酸又はアルキル化アミノ酸は本来のグルカゴン（配列番号：1）の当該位置の対応するアミノ酸又は本来のアミノ酸の保存的置換で置き換えられ、さらに場合によって新規なアシル化又はアルキル化アミノ酸が異なる位置に導入される；
c．変種ペプチドは親水性部分と共有結合したアミノ酸を含む；
d．親水性部分と共有結合したアミノ酸は本来のグルカゴン（配列番号：1）の当該位置の対応するアミノ酸で置き換えられ、さらに場合によって親水性部分と共有結合した新規なアミノ酸が異なる位置に導入される；
e．変種ペプチドのC-末端アミノ酸は、C-末端アルファカルボキシレートの代わりにC-末端アミドを含む。
f．1位〜29位のいずれかのアミノ酸が、本来のグルカゴン（配列番号：1）の当該位置の対応するアミノ酸で置き換えられる；
g．又は前記の任意の組合せ。
【請求項１３】
16、17、21、24、29位、C-末端伸長内の位置、又はC-末端のアミノ酸と共有結合した親水性部分を含む、請求項12に記載の変種ペプチド。
【請求項１４】
Cys、Lys、Orn、ホモシステイン及びAc-Pheから成る群から選択されるアミノ酸と共有結合した親水性部分を含む、請求項12又は13に記載の変種ペプチド。
【請求項１５】
親水性部分が、ポリエチレングリコール、場合によって10kDa〜40kDaの間の分子量のPEGである、請求項12〜14のいずれかに記載の変種ペプチド。
【請求項１６】
10位にアシル化又はアルキル化アミノ酸を含む、請求項12〜15のいずれかに記載の変種ペプチド。
【請求項１７】
C8〜C20のアルキル鎖、C12〜C18のアルキル鎖、又はC14若しくはC16のアルキル鎖を含むアシル化又はアルキル化アミノ酸を含む、請求項12〜16のいずれかに記載の変種ペプチド。
【請求項１８】
式I、式II又は式IIIのアシル化又はアルキル化アミノ酸であるアシル化又はアルキル化アミノ酸を含み、場合によって式Iのアミノ酸がLysである、請求項12〜17のいずれかに記載の変種ペプチド。
【請求項１９】
アシル化又はアルキル化アミノ酸を含む、請求項12〜18のいずれかに記載の変種ペプチドであって、アシル基又はアルキル基がスペーサーを介してアミノ酸と共有結合し、場合によってスペーサーがアミノ酸又はジペプチドである、変種ペプチド。
【請求項２０】
スペーサーが1つ又は2つの酸性残基を含む、請求項19に記載の変種ペプチド。
【請求項２１】
（グルカゴンレセプターにおけるEC50）／（GLP-1レセプターにおけるEC50）が約20以下である、請求項1〜20のいずれかに記載のペプチド又は変種ペプチド。
【請求項２２】
（グルカゴンレセプターにおけるEC50）／（GLP-1レセプターにおけるEC50）が20より大きい、請求項1〜21のいずれかに記載のペプチド又は変種ペプチド。
【請求項２３】
グルカゴンレセプターにおけるEC50よりも2〜10倍大きいGLP-1レセプターにおけるEC50を示す、請求項1〜22のいずれかに記載のペプチド又は変種ペプチド。
【請求項２４】
異種部分とコンジュゲートされた、請求項1〜23のいずれかに記載のペプチド又は変種ペプチドを含むコンジュゲート。
【請求項２５】
異種部分が、ペプチド、ポリペプチド、核酸分子、抗体若しくはそのフラグメント、ポリマー、クォンタムドット、小分子、毒素、診断薬の1つ以上を含む、請求項24に記載のコンジュゲート。
【請求項２６】
異種部分がペプチドであり、コンジュゲートが融合ペプチド又はキメラペプチドである、請求項25に記載のコンジュゲート。
【請求項２７】
C-末端から29位のアミノ酸に1−21アミノ酸の伸長又はペプチド若しくはペプチド変種を含む、請求項26に記載のコンジュゲート。
【請求項２８】
伸長が、Gly、Glu、Cys、Gly-Gly、Gly-Glu、GPSSGAPPPS（配列番号：9）又はGGPSSGAPPPS（配列番号：10）から成る群から選択される、請求項26に記載のコンジュゲート。
【請求項２９】
請求項1〜23のいずれかに記載のペプチド又は変種ペプチドを含むダイマー又はマルチマー。
【請求項３０】
請求項1〜23のいずれかに記載のペプチド又は変種ペプチド、請求項24〜28に記載のコンジュゲート、請求項29に記載のダイマー若しくはマルチマー、又は前記の組合せ、及び医薬的に許容できる担体を含む医薬組成物。
【請求項３１】
患者における疾患又は症状を治療するための請求項３０に記載の医薬組成物であって、当該疾患又は症状が、代謝性症候群、糖尿病、肥満、肝脂肪症、及び神経変性疾患からなる群から選択され、当該疾患又は症状の治療に有効な量で当該患者に投与される、前記医薬組成物。
【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
動力発生システムであって、
１種類又は２種類以上の酸化剤を受け入れて圧縮し、それにより圧縮された酸化剤を生じさせるよう構成された第１の圧縮機と、
前記圧縮酸化剤の第１の部分、少なくとも１種類の第１の燃料及び第１の希釈剤を受け入れて燃焼させて第１の排出物流を生じさせるよう構成された第１の燃焼チャンバと、
前記第１の燃焼チャンバから前記第１の排出物流を受け入れて第１のガス状排出物流を生じさせるよう構成された第１の膨張機と、
冷却された再循環流を受け入れて圧縮し、それにより圧縮状態の再循環流を生じさせるよう構成された第２の圧縮機と、
前記圧縮酸化剤の第２の部分、少なくとも１種類の第２の燃料及び第２の希釈剤を受け入れて燃焼させ、それにより第２の排出物流を生じさせるよう構成された第２の燃焼チャンバと、
前記第２の燃焼チャンバからの前記第２の排出物流を受け入れて第２のガス状排出物流を生じさせるよう構成された第２の膨張機と、
前記第１及び前記第２のガス状排出物流を受け入れて冷却し、それにより合流状態の排出物流を生じさせるよう構成された排熱回収蒸気発生器と、
前記合流排出物流を受け入れて冷却して冷却状態の再循環流を生じさせるよう構成された冷却ユニットと、
前記圧縮再循環流の一部分を受け入れて該部分を分離器流出物流及び分離器生成物流に分離するよう構成された分離器と、を備えている、
ことを特徴とするシステム。
【請求項２】
前記第1の希釈剤は、前記分離器生成物流の少なくとも一部分を含み、
前記第２の希釈剤は、前記圧縮再循環流の少なくとも一部分を含む、
請求項１記載のシステム。
【請求項３】
前記分離器生成物流は、窒素、酸素、アルゴン又はこれらの組み合わせを含む、
請求項１記載のシステム。
【請求項４】
前記分離器流出物流は、二酸化炭素を含む、
請求項１記載のシステム。
【請求項５】
前記分離器は、高温炭酸カリウム分離、アミン分離、分子ふるい分離、メンブレン分離、吸着反応速度論的分離、制御凍結ゾーン分離又はこれらの組み合わせから選択された分離プロセスを利用する、
請求項１記載のシステム。
【請求項６】
前記分離器生成物流の少なくとも一部分を受け入れて膨張させるよう構成された第３の膨張機を更に備えている、
請求項１記載のシステム。
【請求項７】
前記第３の膨張機に差し向けられた前記分離器生成物流の前記部分を受け入れて加熱するよう構成された生成物加熱ユニットを更に備えている、
請求項６記載のシステム。
【請求項８】
前記第３の膨張機に差し向けられた前記分離器生成物流の前記部分を受け入れて冷却するよう構成された生成物冷却ユニットを更に備えている、
請求項６記載のシステム。
【請求項９】
前記分離器に差し向けられた前記圧縮再循環流の前記部分を受け入れて冷却するよう構成された分離器冷却ユニットを更に備えている、
請求項１記載のシステム。
【請求項１０】
動力を発生させる方法であって、
１種類又は２種類上の酸化剤を第１の圧縮機内で圧縮して圧縮された酸化剤を生じさせるステップと、
前記圧縮酸化剤の第１の部分、少なくとも１種類の第１の燃料及び第１の希釈剤を第１の燃焼チャンバに供給するステップと、
前記圧縮酸化剤の前記第１の部分及び前記少なくとも１種類の第１の燃料を前記第１の燃焼チャンバ内で燃焼させて第１の排出物流を生じさせるステップと、
前記第１の排出物流を第１の膨張機内で膨張させて第１のガス状排出物流を生じさせるステップと、
冷却された再循環流を第２の圧縮機内で圧縮して圧縮された再循環流を生じさせるステップと、
前記圧縮酸化剤の第２の部分、少なくとも１種類の第２の燃料及び第２の希釈剤を第２の燃焼チャンバに供給するステップと、
前記圧縮酸化剤の前記第２の部分及び前記少なくとも１種類の第２の燃料を前記第２の燃焼チャンバ内で燃焼させて第２の排出物流を生じさせるステップと、
前記第２の排出物流を第２の膨張機で膨張させて第２のガス状排出物流を生じさせるステップと、
前記第１及び前記第２のガス状排出物流から熱を回収するステップと、
前記第１及び前記第２のガス状排出物流を合流させて合流状態の排出物流を生じさせるステップと、
前記合流排出物流を冷却して前記冷却再循環流を生じさせるステップと、
前記圧縮再循環流の少なくとも一部分を分離して流出物流及び生成物流を生じさせるステップと、を備えている、
ことを特徴とする方法。
【請求項１１】
熱が１つ又は２つ以上の排熱回収蒸気発生器内で前記第１のガス状排出物流、前記第２のガス状排出物流又はこれら両方から回収される、
請求項１０記載の方法。
【請求項１２】
前記第１及び前記第２のガス状排出物流は、前記第１及び前記第２のガス状排出物流から熱を回収する前に合流させられる、
請求項１０記載の方法。
【請求項１３】
前記第１及び前記第２のガス状排出物流は、前記第１及び前記第２のガス状排出物流から熱を回収した後に合流させられる、
請求項１０記載の方法。
【請求項１４】
前記第１の希釈剤は、前記生成物流の少なくとも一部分を含み、
前記第２の希釈剤は、前記圧縮再循環流の少なくとも一部分を含む、または、両者である、
請求項１０記載の方法。
【請求項１５】
前記合流排出物流は、直接接触型冷却器内で冷却される、
請求項１０記載の方法。
【請求項１６】
前記生成物流は、窒素、酸素、アルゴン又はこれらの組み合わせを含む、
請求項１０記載の方法。
【請求項１７】
前記流出物流は、二酸化炭素を含む、
請求項１０記載の方法。
【請求項１８】
前記圧縮再循環流の前記少なくとも一部分は、高温炭酸カリウム分離、アミン分離、分子ふるい分離、メンブレン分離、吸着反応速度論的分離、制御凍結ゾーン分離又はこれらの組み合わせから選択されたプロセスを利用して分離される、
請求項１０記載の方法。
【請求項１９】
前記生成物流の少なくとも一部分を膨張させて動力を発生させるステップを更に備えている、
請求項１０記載の方法。
【請求項２０】
前記生成物流の前記少なくとも一部分を膨張に先立って加熱するステップを更に備えている、
請求項１９記載の方法。
【請求項２１】
前記生成物流の前記少なくとも一部分を膨張に先立って冷却するステップを更に備えている、
請求項１９記載の方法。
【請求項２２】
前記圧縮再循環流の前記少なくとも一部分を分離前に冷却するステップを更に備えている、
請求項１０記載の方法。
【手続補正書】
【提出日】平成27年2月17日(2015.2.17)
【手続補正１】
【補正対象書類名】特許請求の範囲
【補正対象項目名】全文
【補正方法】変更
【補正の内容】
【特許請求の範囲】
【請求項１】
ソフトウエアプログラムのライセンスステータスを変更するための要求を、前記ソフトウエアプログラムを有するコンピューティングシステムから送信するステップと；
前記ソフトウエアプログラムのライセンスステータスの変更を示すライセンシング情報を、前記ソフトウエアプログラムを有するコンピューティングシステムで受信するステップであって、前記ソフトウエアプログラムの前記ライセンスステータスの前記変更は、自動的に前記変更されたステータスの基で、ユーザの更なるアクション無しに、前記ソフトウエアプログラムを前記ユーザが使用することを許可するに十分であり、前記ライセンスステータスの前記変更はフルライセンスステータスへのアップグレードを含む、ステップと；
を有する、ライセンスアップグレード管理のための方法。
【請求項２】
前記ライセンスステータスを取得するようにストレージデバイスに問い合わせるステップと；
前記ストレージデバイスから受信した前記ライセンスステータスに基づいて前記ソフトウエアプログラムを動作させるステップと；
を有する請求項１記載の方法。
【請求項３】
前記ライセンスステータスを変更するための要求は、支払い情報を含む、請求項１記載の方法。
【請求項４】
前記ライセンスステータスの前記変更は、トライアルステータスからのアップグレードを含む、請求項１記載の方法。
【請求項５】
ローカルライセンスキャッシュの前記ライセンスステータスの前記変更を示す前記ライセンシング情報を記憶するステップ、を有する請求項１記載の方法。
【請求項６】
前記ソフトウエアプログラムのトライアルバージョンの取得の要求を送信する前に、ユーザ認証情報を提供するステップであって、これによってユーザを、前記ソフトウエアプログラムが取得されたアカウントにログイン状態にする、ステップ、を有する請求項１記載の方法。
【請求項７】
前記ライセンスステータスの変更を要求するための前記要求を送信する前に、ユーザがライセンスアップグレードを要求することを促すプロンプトを表示するステップ、を有する請求項１記載の方法。
【請求項８】
処理ユニットと；
システムメモリであって、前記システムメモリは、前記処理ユニットに：
ソフトウエアプログラムを取得するための要求を送信し、
前記ソフトウエアプログラム及び前記ソフトウエアプログラムのライセンスステータスを示すライセンシング情報を受信し、
前記ソフトウエアプログラムの前記ライセンスステータスを変更するための要求を送信し、
前記ソフトウエアプログラムの前記ライセンスステータスの変更を示すライセンス情報を受信し、前記ソフトウエアプログラムの前記ライセンスステータスの前記変更は、自動的にアップグレードされたステータスの基で、ユーザの更なるアクション無しに、前記ソフトウエアプログラムを前記ユーザが使用することを許可するに十分であり、前記ライセンスステータスの前記変更はフルライセンスステータスへのアップグレードを含む、
ことを指示するよう構成されたコードを含む、システムメモリと；
を有する、ライセンスアップグレードの管理のためのシステム。
【請求項９】
前記ソフトウエアプログラムの前記ライセンス情報を記憶するローカルライセンスキャッシュ、を有する請求項８記載のシステム。
【請求項１０】
ソフトウエアプログラムのトライアルバージョンを取得するための要求を送信する処理と；
前記ソフトウエアプログラム及び前記ソフトウエアプログラムのライセンスステータスがトライアルステータスであることを示すライセンス情報を受信する処理と；
前記トライアルステータスからフルライセンスステータスに、前記ソフトウエアプログラムの前記ライセンスステータスをアップグレードするための要求を送信する処理であっって、前記ライセンスステータスをアップグレードするための要求は、前記フルライセンスステータスのための支払い情報を含む、処理と；
前記ソフトウエアプログラムの前記ライセンスステータスのアップグレードを示すライセンス情報を受信する処理であって、前記ソフトウエアプログラムの前記ライセンスステータスの変更は、自動的に前記アップグレードされたステータスの基で、ユーザの更なるアクション無しに、前記ソフトウエアプログラムを前記ユーザが使用することを許可するに十分である処理と；
を処理ユニットに実行させる、ライセンシングアップグレード管理コード。
【手続補正書】
【提出日】平成27年2月2日(2015.2.2)
【手続補正１】
【補正対象書類名】特許請求の範囲
【補正対象項目名】全文
【補正方法】変更
【補正の内容】
【特許請求の範囲】
【請求項１】
クライアントに状態通知を提供するコンピューター実装された方法であって、
第１のノードに接続して前記第１のノードの情報にアクセスするための要求を前記第１のノードで受信するステップであって、前記第１のノードがクラスタ内の複数のノードのうちの１つである、ステップと、
応答を前記第１のノードから送信するステップであって、前記応答が前記第１のノードの情報にアクセスするためのセッションを確立する、ステップと、
前記複数のノードに関するノード情報の第２の要求を受信するステップと、
前記第２の要求に応答して、前記ノード情報を有する第２の応答を送信するステップであって、前記ノード情報が、資源を監視するためのウィットネスノードの機能を果たす前記複数のノードのうちの少なくとも２つのノードを識別し、さらに、前記少なくとも２つのノードの各々についてのランキングを識別する、ステップと、
少なくとも１つの資源に関する通知に登録するために前記第１のノードで登録要求を受信するステップであって、前記第１のノードが、第１のウィットネスノードの機能を果たし、前記少なくとも１つの資源を監視するステップと、
前記少なくとも１つの資源の状態を有する通知を前記第１のノードから送信するステップと
を含む、方法。
【請求項２】
前記通知が前記少なくとも１つの資源の故障を表す、請求項１に記載の方法。
【請求項３】
前記第１のノードに接続するための前記要求、および、前記第１のノードの情報にアクセスするためのセッションを確立する前記応答が、ファイルアクセスプロトコルに従ってフォーマットされる、請求項１に記載の方法。
【請求項４】
ノード情報の前記第２の要求、前記ノード情報を有する前記第２の応答、前記登録要求、および前記通知が、前記ファイルアクセスプロトコルとは異なるウィットネスプロトコルに従ってフォーマットされる、請求項３に記載の方法。
【請求項５】
プロセッサによって実行されると、状態通知を受信する方法を実行する、コンピューター実行可能命令を備えるコンピューター記憶媒体であって、前記方法が、
第１のファイルサーバーに接続するための要求を送信するステップであって、前記第１のファイルサーバーがクラスタ内の複数のファイルサーバーのうちの１つである、ステップと、
前記第１のファイルサーバーに記憶されたファイル情報にアクセスするためのセッションの確立を表す前記第１のファイルサーバーからの応答を受信するステップと、
前記第１のファイルサーバー上のファイルにアクセスするための第１の複数の要求を送信するステップと、
ウィットネス情報について前記第１のファイルサーバーに第２の要求を送信するステップであって、前記ウィットネス情報が、前記クラスタ内の前記複数のファイルサーバーのうちの第２のファイルサーバーの識別情報を提供し、前記第２のファイルサーバーが、少なくとも１つの資源を監視するウィットネスサービスを提供する、ステップと、
前記ウィットネス情報を有するメッセージを受信するステップであって、前記ウィットネス情報は、前記ウィットネスサービスを提供する少なくとも２つの追加のファイルサーバーを識別し、さらに、前記少なくとも２つの追加のファイルサーバーの各々についてのランキングを識別する、ステップと、
前記ウィットネス情報に基づいて、前記少なくとも１つの資源の状態を有する通知に登録するために、前記少なくとも２つの追加のファイルサーバーのうちの少なくとも１つに要求を送信するステップと、
前記少なくとも１つの資源の前記状態を有する通知を受信するステップと
を含む、コンピューター記憶媒体。
【請求項６】
前記通知に応答して、
前記第１のファイルサーバーへの任意の追加のファイルアクセス要求を休止するステップと、
前記クラスタ内の前記複数のファイルサーバーのうちの第３のファイルサーバーの可用性を表すメッセージを受信するステップと、
前記第３のファイルサーバーに第２の複数のファイルアクセス要求を送信するステップと
をさらに含む、請求項５に記載のコンピューター記憶媒体。
【請求項７】
第１のファイルサーバーに接続するための前記第１の要求、セッションの前記確立を表す前記第１のファイルサーバーからの前記応答、および、ファイルにアクセスするための前記第１の複数の要求が、第１の通信チャネルを介して送信される、請求項５に記載のコンピューター記憶媒体。
【請求項８】
クライアント通信サービスを提供するためのコンピューターシステムであって、
クラスタ内の複数のサーバーであって、前記複数のサーバーの少なくとも一部が、
前記サーバーに記憶されたファイル情報へのアクセスを提供するためのセッションを確立し、
ウィットネスサービスを提供する前記複数のサーバーのうちの少なくとも２つの他のサーバーを識別するウィットネス情報を記憶し、
前記ウィットネス情報を提供する前記複数のサーバーのうちの前記サーバーの各々のリストを提供し、
少なくとも１つの資源に関する事象を監視し、
前記少なくとも１つの資源に関する通知に登録するための登録要求を受信し、
前記少なくとも１つの資源の状態を有する通知を送信する
ように構成された、複数のサーバー
を備えるシステム。
【請求項９】
前記資源がクラスタ資源であり、前記サーバーが前記クラスタ上で走るクラスタサービスから事象を受信する、請求項８に記載のシステム。
【請求項１０】
前記通知が、前記少なくとも１つの資源の故障を表す、請求項９に記載のシステム。
【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
発される光の特性における変調の時系列として発される第１の埋め込みコードを有する光寄与を供給する第１の光源を少なくとも具備する照明システムによって照明された場面の少なくとも１つのイメージを取得するローリングシャッタカメラであって、前記イメージが、各画素が前記場面内の異なる物理位置における前記照明システムの総光出力の強度を表す画素のマトリクスを有するとともに、前記イメージが、各々が前記第１の埋め込みコードの変調の前記時系列のインスタンスを有する、時間的にシフトされた複数のラインインスタンスとして得られる、前記ローリングシャッタカメラと、
前記変調の空間パターンから前記第１の埋め込みコードを決定する処理ユニットと、
を有する、光検出システム。
【請求項２】
前記処理ユニットは、前記の各ラインインスタンスに沿った画素値の組み合わせに基づいて、前記第１の埋め込みコードを決定する、請求項１記載の光検出システム。
【請求項３】
前記ラインインスタンスに沿った画素値の組み合わせは、前記得られたイメージの少なくとも１つの所定のサブ領域に制約される、請求項１又は２に記載の光検出システム。
【請求項４】
前記所定のサブ領域の選択は、前記第１の埋め込みコードに関連付けられる変調の予期される空間パターンと整合するフィルタカーネルを有するフィルタで前記イメージを畳み込み積分することによって実行される、請求項３記載の光検出システム。
【請求項５】
前記ローリングシャッタカメラは、画素の相補群が異なる時間インスタンスにおける読み出しである画素マトリクスを具備するイメージセンサを有する、請求項１乃至４のいずれか１項に記載の光検出システム。
【請求項６】
前記の各画素の相補群は、前記イメージセンサの前記画素マトリクスの画素の行を構成する、請求項５記載の光検出システム。
【請求項７】
前記画素列の異なる時間インスタンスにおける読み出しは、隣接する時間インスタンスが空間的に隣接する画素の行に対応するように、空間的に単調な順序で発生する、請求項６記載の光検出システム。
【請求項８】
前記光検出システムは、複数の光源からの寄与を有する得られたイメージを検出及び解析し、各光源の各光寄与は、発される光の特性における変調の時系列として発される埋め込まれた一意のコードを有する、請求項１乃至７のいずれか１項に記載の光検出システム。
【請求項９】
前記得られたイメージの焦点ぼけを供給するための光システムを更に有する、請求項１乃至８のいずれか１項に記載の光検出システム。
【請求項１０】
前記光システムは、前記焦点ぼけされた取得イメージにおけるパターンを供給するための開口マスク素子を有する、請求項９記載の光検出システム。
【請求項１１】
前記開口マスク素子の空間形状は、異なる光源由来の空間的に離れた光寄与のために選択される、請求項１０記載の光検出システム。
【請求項１２】
前記第１の埋め込みコードは、一定間隔でパケットとともに繰り返し送信される、連続的に繰り返されるデータストリーム、パケット化されたデータストリーム、及び、不規則間隔でパケットとともに繰り返し送信される、パケット化されたデータストリームのうちのいずれかである、請求項１乃至１１のいずれか１項に記載の光検出システム。
【請求項１３】
前記発される光の特性は、強度変調及び色変調のいずれかである、請求項１乃至１２のいずれか１項に記載の光検出システム。